(57)【要約】【課題】限られた範囲内で無線機を用いる場合に、その無線機の識別ＩＤの情報量を減少させることで、通信時間を短縮化し、省電力化することが可能なＩＤ管理システムを提供する。【解決手段】複数の無線機器３０と、無線機器３０のＩＤを管理するＩＤ管理装置２０と、を備えるＩＤ管理システム１であって、ＩＤ管理装置２０が、無線機器３０を識別するための第１のＩＤを受信する管理装置受信部２２０と、第１のＩＤよりも情報量が少ない第２のＩＤを複数記憶する管理装置記憶部２１０と、管理装置記憶部２１０に記憶された複数の第２のＩＤから、管理装置受信部２２０により受信された第１のＩＤに対応する第２のＩＤを指定する管理装置制御部２４０と、を備え、管理装置記憶部２１０が、管理装置受信部２２０により受信された第１のＩＤ及び管理装置制御部２４０により指定された第２のＩＤを関連付けて記憶する。【選択図】図６
2011109338.tif 000002
【特許請求の範囲】
【請求項１】
複数の無線機器と、前記無線機器のＩＤを管理するＩＤ管理装置と、を備えるＩＤ管理システムであって、
前記ＩＤ管理装置は、
前記無線機器を識別するための第１のＩＤを受信するＩＤ受信部と、
前記第１のＩＤよりも情報量が少ない第２のＩＤを複数記憶する記憶部と、
前記記憶部に記憶された複数の第２のＩＤから、前記ＩＤ受信部により受信された第１のＩＤに対応する第２のＩＤを指定するＩＤ指定部と、
を備え、
前記記憶部は、前記ＩＤ受信部により受信された第１のＩＤ及び前記ＩＤ指定部により指定された第２のＩＤを関連付けて記憶する
を備えるＩＤ管理システム。
【請求項２】
請求項１に記載のＩＤ管理システムであって、
前記複数のＩＤ管理装置によって複数のネットワークが形成され、
前記ＩＤ指定部は、前記ネットワークを識別するためのネットワークＩＤに基づいて、前記ネットワークＩＤにより識別されるネットワークに属する前記ＩＤ管理装置配下の無線機器に対して指定される前記第２のＩＤの範囲を指定する
ＩＤ管理システム。
【請求項３】
請求項１または２に記載のＩＤ管理システムであって、
前記記憶部は、前記第２のＩＤに関連付けて、前記第２のＩＤの使用実績があるか否かを識別する使用実績情報を記憶し、
前記ＩＤ指定部は、前記記憶部に記憶された使用実績情報に基づいて、前記記憶部に記憶された複数の第２のＩＤから使用実績のない第２のＩＤを指定する
ＩＤ管理システム。
【請求項４】
請求項３に記載のＩＤ管理システムであって、
前記記憶部は、前記第２のＩＤに関連付けて、前記第２のＩＤが使用中か否かを識別する現使用情報を記憶し、
前記ＩＤ指定部は、使用実績のない第２のＩＤが存在しない場合、前記記憶部に記憶された現使用情報に基づいて、前記記憶部に記憶された複数の第２のＩＤから使用中ではない第２のＩＤを指定する
ＩＤ管理システム。
【請求項５】
請求項１ないし４のいずれか１項に記載のＩＤ管理システムであって、更に、
前記無線機器を監視する監視装置を備え、
前記監視装置は、
前記無線機器を識別する前記第１のＩＤを記憶する監視装置記憶部と、
前記第１のＩＤにより識別される無線機器の変化を通知する変化通知信号を、前記ＩＤ管理装置から受信する変化通知信号受信部と、
前記変化通知信号受信部により変化通知信号が受信された場合、前記変化通知信号に対応する第１のＩＤが前記監視装置記憶部に記憶されているか否かに基づいて、前記第１のＩＤにより識別される無線機器が不在であるか否かを判定する無線機器状態判定部と、
を備えるＩＤ管理システム。
【請求項６】
請求項５に記載のＩＤ管理システムであって、
前記監視装置は、
前記無線機器状態判定部により前記無線機器が不在であると判定された場合、当該無線機器を識別する第１のＩＤを前記ＩＤ管理装置の記憶部から削除させるための削除要求信号を、前記ＩＤ管理装置へ送信する削除要求信号送信部を備える
ＩＤ管理システム。
【請求項７】
請求項６に記載のＩＤ管理システムであって、
前記ＩＤ管理装置は、
前記監視装置からの前記削除要求信号を受信する削除要求信号受信部と、
前記削除要求信号受信部により受信された削除要求信号に対応する第１のＩＤを前記記憶部から削除するＩＤ削除部と、
を備えるＩＤ管理システム。
【発明の詳細な説明】
【技術分野】
【０００１】
本発明は、複数の無線機器と、無線機器のＩＤを管理するＩＤ管理装置と、を備えるＩＤ管理システムに関する。
【背景技術】
【０００２】
近年、ＲＦＩＤ（Radio Frequency IDentification）タグ等の無線機を物品に取り付け、物品を識別・管理することが知られている。ＲＦＩＤタグを用いた管理システムの一例として、ショーケースに陳列されている商品の在庫状況をコンピュータを用いて管理する在庫管理システムが知られている（例えば、特許文献１参照）。このシステムは、ショーケースが、商品棚上の商品に貼付されたＲＦＩＤタグと通信するためのアンテナと、該アンテナを介してＲＦＩＤタグと通信を行いＲＦＩＤタグの固有番号を検出する検出手段と、検出したＲＦＩＤタグの固有番号をネットワークを介してコンピュータに送信する送信手段とを備えている。コンピュータは、ショーケースから受信したＲＦＩＤの固有番号に基づき商品の在庫を管理する。
【先行技術文献】
【特許文献】
【０００３】
【特許文献１】特開２００８−２１４０９８号公報
【発明の概要】
【発明が解決しようとする課題】
【０００４】
ＲＦＩＤタグ等の無線機は、バーコードに代わる物品識別・管理を行うための機器として注目されている。今後、冷蔵庫の在庫管理、店舗内の商品管理、薬品管理、家電機器自体、セキュリティ機器、電気・ガス・水道用の検針機器等、より多くの物品の管理を行うためにこのような無線機が多く使用されることが予想される。
【０００５】
多くの物品を識別する必要がある無線機は、その無線機を識別するための識別ＩＤが重複しないよう、識別ＩＤの桁数が長く、つまり情報量が大きく設定される。識別ＩＤの情報量が大きいために、識別ＩＤを記憶するためのメモリや識別ＩＤを通知するためのネットワークの負荷が大きくなり、これに伴って通信時間が長くなり、電力消費が大きくなる。
【０００６】
一方、自宅内等のある限られた範囲内でＲＦＩＤ等の無線機を用いる場合には、識別ＩＤの桁数を短く、つまり情報量を小さくしても、当該範囲内における物品を管理することは十分に可能である。したがって、限られた範囲内で無線機を用いる場合には、その無線機の識別ＩＤはなるべく情報量を小さく設定することが好ましい。
【０００７】
本発明は、上記事情に鑑みてなされたものであって、限られた範囲内で無線機を用いる場合に、その無線機の識別ＩＤの情報量を減少させることで、通信時間を短縮化し、省電力化することが可能なＩＤ管理システムを提供することを目的とする。
【課題を解決するための手段】
【０００８】
本発明のＩＤ管理システムは、複数の無線機器と、前記無線機器のＩＤを管理するＩＤ管理装置と、を備えるＩＤ管理システムであって、前記ＩＤ管理装置が、前記無線機器を識別するための第１のＩＤを受信するＩＤ受信部と、前記第１のＩＤよりも情報量が少ない第２のＩＤを複数記憶する記憶部と、前記記憶部に記憶された複数の第２のＩＤから、前記ＩＤ受信部により受信された第１のＩＤに対応する第２のＩＤを指定するＩＤ指定部と、を備え、前記記憶部が、前記ＩＤ受信部により受信された第１のＩＤ及び前記ＩＤ指定部により指定された第２のＩＤを関連付けて記憶する。
【０００９】
この構成により、限られた範囲内で無線機を用いる場合に、その無線機の識別ＩＤの情報量を減少させることで、通信時間を短縮化し、省電力化することが可能である。
【００１０】
また、本発明のＩＤ管理システムは、前記複数のＩＤ管理装置によって複数のネットワークが形成され、前記ＩＤ指定部が、前記ネットワークを識別するためのネットワークＩＤに基づいて、前記ネットワークＩＤにより識別されるネットワークに属する前記ＩＤ管理装置配下の無線機器に対して指定される前記第２のＩＤの範囲を指定する。
【００１１】
この構成により、ネットワーク毎に第２のＩＤの範囲を指定でき、複数のネットワークにおいて第２のＩＤが重複しないため、最小限の情報量を有する第２のＩＤで、通信相手を誤認することなく通信を行うことが可能である。
【００１２】
また、本発明のＩＤ管理システムは、前記記憶部が、前記第２のＩＤに関連付けて、前記第２のＩＤの使用実績があるか否かを識別する使用実績情報を記憶し、前記ＩＤ指定部が、前記記憶部に記憶された使用実績情報に基づいて、前記記憶部に記憶された複数の第２のＩＤから使用実績のない第２のＩＤを指定する。
【００１３】
この構成により、使用実績のない第２のＩＤから優先的に第１のＩＤに対応するＩＤとして指定することができ、第２のＩＤを有効に活用することができる。
【００１４】
また、本発明のＩＤ管理システムは、前記記憶部が、前記第２のＩＤに関連付けて、前記第２のＩＤが使用中か否かを識別する現使用情報を記憶し、前記ＩＤ指定部が、使用実績のない第２のＩＤが存在しない場合、前記記憶部に記憶された現使用情報に基づいて、前記記憶部に記憶された複数の第２のＩＤから使用中ではない第２のＩＤを指定する。
【００１５】
この構成により、使用実績のない第２のＩＤのうち現在使用されていない第２のＩＤから優先的に第１のＩＤに対応するＩＤとして指定することができ、第２のＩＤを有効に活用することができる。
【００１６】
また、本発明のＩＤ管理システムは、前記無線機器を監視する監視装置を備え、前記監視装置が、前記無線機器を識別する前記第１のＩＤを記憶する監視装置記憶部と、前記第１のＩＤにより識別される無線機器の変化を通知する変化通知信号を、前記ＩＤ管理装置から受信する変化通知信号受信部と、前記変化通知信号受信部により変化通知信号が受信された場合、前記変化通知信号に対応する第１のＩＤが前記監視装置記憶部に記憶されているか否かに基づいて、前記第１のＩＤにより識別される無線機器が不在であるか否かを判定する無線機器状態判定部と、を備える。
【００１７】
この構成により、監視装置が無線機器の状態が変化したことを通知されたときに、無線機器の撤去等によりＩＤ管理システム内に当該無線機器が不在であるか、一時的に通信障害が発生しているかを判定でき、監視装置の状態を正確に把握できる。
【００１８】
また、本発明のＩＤ管理システムは、前記無線機器状態判定部により前記無線機器が不在であると判定された場合、当該無線機器を識別する第１のＩＤを前記ＩＤ管理装置の記憶部から削除させるための削除要求信号を、前記ＩＤ管理装置へ送信する削除要求信号送信部を備える。
【００１９】
この構成により、無線機器が不在であるために無線機器の第１のＩＤがＩＤ管理装置の記憶部から削除されるべきことをＩＤ管理装置へ通知することができる。
【００２０】
また、本発明のＩＤ管理システムは、前記監視装置からの前記削除要求信号を受信する削除要求信号受信部と、前記削除要求信号受信部により受信された削除要求信号に対応する第１のＩＤを前記記憶部から削除するＩＤ削除部と、を備える。
【００２１】
この構成により、ＩＤ管理装置において不要となった削除対象の第１のＩＤの削除を行うことで、第１のＩＤに対応する有限の第２のＩＤを効率良く使用することができる。
【発明の効果】
【００２２】
本発明は、限られた範囲内で無線機を用いる場合に、その無線機の識別ＩＤの情報量を減少させることで、通信時間を短縮化し、省電力化することが可能である。
【図面の簡単な説明】
【００２３】
【図１】本発明の第１の実施形態におけるＩＤ管理システムのシステム構成の一例を示すブロック図
【図２】本発明の第１の実施形態におけるＩＤ管理装置の構成の一例を示すブロック図
【図３】本発明の第１の実施形態における管理装置記憶部が有するテーブルの一例を示す図
【図４】本発明の第１の実施形態における監視装置の構成の一例を示すブロック図
【図５】本発明の第１の実施形態におけるＩＤ管理装置の動作の一例を示すフローチャートである。
【図６】本発明の第２の実施形態におけるＩＤ管理システムのシステム構成の一例を示すブロック図
【図７】本発明の第３の実施形態における管理装置記憶部が有するテーブルの一例を示す図
【図８】本発明の第３の実施形態におけるＩＤ管理装置の動作の一例を示すフローチャートである。
【図９】本発明の第３の実施形態における監視装置の動作の一例を示すフローチャートである。
【図１０】本発明の第４の実施形態におけるＩＤ管理システムのシステム構成の一例を示すブロック図
【発明を実施するための形態】
【００２４】
以下、本発明の実施形態について、図面を参照して説明する。
【００２５】
（第１の実施形態）
図１は本発明の第１の実施形態におけるＩＤ管理システムのシステム構成の一例を示すブロック図である。図１に示すＩＤ管理システム１は、監視装置１０、ＩＤ管理装置２０、ＩＤ管理装置２０にＩＤを管理される無線機器３０、ＩＤ管理装置２０のＩＤを管理する中継装置４０を有して構成される。また、監視装置１０、ＩＤ管理装置２０、中継装置４０は複数であってもよい。また、無線機器３０の個数は図１に示した例に限られない。
【００２６】
ＩＤ管理システム１は、公衆ネットワーク、メイン中継ネットワーク、サブ中継ネットワークを有する。公衆ネットワークは、一又は複数の監視装置１０と一又は複数の中継装置４０とを有して形成される。メイン中継ネットワークは、一又は複数の中継装置４０と中継装置４０配下の一又は複数のＩＤ管理装置２０とを有して形成される。サブ中継ネットワークは、一又は複数のＩＤ管理装置２０とＩＤ管理装置２０配下の一又は複数の無線機器３０とを有して形成される。
【００２７】
監視装置１０は、ＩＤ管理装置２０、無線機器３０、中継装置４０を監視する装置であり、例えばガス会社が管理する情報センタ、セキュリティ管理会社が管理する情報センタに配置される。監視装置１０は、有線又は無線による通信機能を有しており、ＩＤ管理装置２０を介して無線機器３０と通信を行う。
【００２８】
ＩＤ管理装置２０は、通信機能を有し、監視装置１０と無線機器３０との通信を中継する。ＩＤ管理装置２０は、無線機器３０とは別の装置としてもよいし、複数の無線機器３０のうちの１つをＩＤ管理装置２０として機能させてもよい。ＩＤ管理装置２０は、通信の中継を行う際に、後述する第１のＩＤと第２のＩＤを相互に変換する。また、第１のＩＤと第２のＩＤとを関連付けるために、第１のＩＤに対応する第２のＩＤを適宜指定する（割り当てる）。
【００２９】
ここで、第１のＩＤとは、公衆ネットワーク及びメイン中継ネットワークにおいて、無線機器３０を識別するために使用される識別ＩＤである。また、第２のＩＤとは、サブ中継ネットワークにおいて、無線機器３０を識別するために使用される識別ＩＤである。第２のＩＤは第１のＩＤよりも情報量が少なく、第１のＩＤは例えば１２桁で表され、第２のＩＤは例えば１桁で表される。なお、１桁は８ビットで表され、０〜２５５の値を表すことができる。
【００３０】
無線機器３０は、無線通信機能を有しており、例えば、窓開閉検知センサ、ガス漏れセンサ、火災センサ、火災報知器、計測装置（メータ）などである。無線機器３０は、ＩＤ管理装置２０を介して監視装置１０と通信を行う。また、無線機器３０は、ＩＤ管理装置２０との間では間欠通信を行う。
【００３１】
監視装置１０から無線機器３０へ送信される信号としては、無線機器３０のバッテリ情報、無線機器３０による計測結果の情報、無線機器３０が有効に動作可能か否かを示す生存確認情報等を要求する情報要求信号が考えられる。また、この信号には、無線機器３０による検針指令、ガス漏れ等を把握するためのセキュリティ管理指令、ガスメータに対する遠隔遮断指令等の各種指令が含まれてもよい。監視装置１０は、定期的もしくは必要なタイミングで、無線機器３０へ情報要求信号を送信する。なお、情報要求信号は一例であり、監視装置１０は無線機器３０へ他の情報を送信してもよい。
【００３２】
一方、無線機器３０から監視装置１０へ送信される信号としては、無線機器３０のバッテリ情報、無線機器３０による計測結果の情報、無線機器３０の生存確認情報、メータの検針値、ガス漏れ情報等のセンサ情報が考えられる。無線機器３０は、監視装置１０からの情報要求信号に対して、もしくは定期的に、センサ情報を監視装置１０へ送信する。例えば、無線機器３０は、監視装置１０からの検針指令等の各種指令に基づいて、各種計測を行い、計測結果を監視装置１０へ通知する。なお、センサ情報は一例であり、無線機器３０は監視装置１０へ他の情報を送信してもよい。
【００３３】
次に、図２は、ＩＤ管理装置２０の構成の一例を示すブロック図である。図２に示すＩＤ管理装置２０は、管理装置記憶部２１０、管理装置受信部２２０、管理装置送信部２３０、管理装置制御部２４０を有する。
【００３４】
管理装置記憶部２１０は、第１のＩＤ及び第２のＩＤを記憶するテーブルを有し、第１のＩＤと、管理装置制御部２４０により指定される第１のＩＤに対応する第２のＩＤを関連付けて記憶する。また、各第２のＩＤについて、現在までに使用されたことがあるか否か、つまり使用実績があるか否かを識別するための使用実績フラグを、第２のＩＤに関連付けて記憶してもよい。例えば、使用実績フラグが１のときには使用実績があることを示し、使用実績フラグが０のときには使用実績がないことを示す。また、各第２のＩＤについて、現在使用中であるか否かを識別するための現使用フラグを、第２のＩＤに関連付けて記憶してもよい。例えば、現使用フラグが１のときには現在使用中であることを示し、現使用フラグが０のときには現在使用中ではないことを示す。なお、管理装置記憶部２１０が有するテーブルでは、第２のＩＤが昇順又は降順に記憶されている。図３は、管理装置記憶部２１０が有するテーブルの一例を示す図である。
【００３５】
管理装置受信部２２０は、各種信号、各種情報を受信する。例えば、管理装置受信部２２０は、監視装置１０からの、送信先の無線機器３０を識別するための第１のＩＤを含む情報要求信号、送信元の無線機器３０からの第２のＩＤを含むセンサ情報、などを受信する。
【００３６】
管理装置送信部２３０は、各種信号、各種情報を送信する。例えば、管理装置送信部２３０は、管理装置制御部２４０により送信先の無線機器３０を識別するための第１のＩＤから変換された第２のＩＤを含む情報要求信号を、送信先の無線機器３０へ送信する。また、管理装置送信部２３０は、例えば、管理装置制御部２４０により送信元の無線機器３０を識別するための第２のＩＤから変換された第１のＩＤを含むセンサ情報を、監視装置１０へ送信する。
【００３７】
管理装置制御部２４０は、管理装置２０内の各種制御を行う。例えば、管理装置制御部２４０は、管理装置記憶部２１０に記憶された複数の第２のＩＤから、管理装置受信部２２０により受信された第１のＩＤに対応する第２のＩＤを指定する。第２のＩＤが指定された後には、例えば、管理装置制御部２４０は、監視装置１０と無線機器３０との間で通信を行うときに、監視装置１０からの情報要求信号に含まれる第１のＩＤに対応する第２のＩＤに変換したり、無線機器３０からのセンサ情報に含まれる第２のＩＤに対応する第１のＩＤに変換したりする。
【００３８】
次に、図４は、監視装置１０の構成の一例を示すブロック図である。図４に示す監視装置１０は、監視装置送信部１１０、監視装置受信部１２０、監視装置制御部１３０を有する。
【００３９】
監視装置送信部１１０は、各種信号、各種情報をＩＤ管理装置２０へ送信する。例えば、送信先の無線機器３０の第１のＩＤを含む情報要求信号をＩＤ管理装置２０へ送信する。
【００４０】
監視装置受信部１２０は、各種信号、各種情報をＩＤ管理装置２０から受信する。例えば、監視装置受信部１２０は、第１のＩＤを用いたＩＤ管理装置２０からの情報要求信号に対する情報（センサ情報）を受信する。
【００４１】
監視装置制御部１３０は、監視装置１０内の各種制御を行う。
【００４２】
監視装置記憶部１４０は、各種情報を記憶する。例えば、無線機器３０の第１のＩＤを記憶する。
【００４３】
次に、ＩＤ管理装置２０の動作について説明する。
図５は、ＩＤ管理装置２０の動作の一例を示すフローチャートである。ここでは、ＩＤ管理装置２０が、無線機器３０の第１のＩＤに対して第２のＩＤを指定し、当該第１のＩＤを管理装置記憶部２１０が有するテーブルへ登録すること（初期登録）を想定している。また、管理装置記憶部２１０が有するテーブルでは、第２のＩＤが昇順に整列されていることを想定している。
【００４４】
まず、管理装置受信部２２０は、ＩＤの登録対象である特定の無線機器３０からの第１のＩＤを受信する（ステップＳ１０１）。続いて、管理装置制御部２４０は、管理装置受信部２２０により受信された第１のＩＤが、既に管理装置記憶部２１０が有するテーブルに記憶されているか否かを判定する（ステップＳ１０２）。既に記憶されている場合には、受信された第１のＩＤを破棄する（ステップＳ１０３）。
【００４５】
一方、受信された第１のＩＤが管理装置記憶部２１０が有するテーブルに記憶されていない場合には、管理装置制御部２４０は、テーブル内の使用実績フラグを第２のＩＤを基準に順に探索する（ステップＳ１０４）。そして、管理装置制御部２４０は、全ての第２のＩＤを探索したか否かを判定する（ステップＳ１０５）。
【００４６】
全ての第２のＩＤの探索が完了していなければ、管理装置制御部２４０は、探索中の第２のＩＤに対応する使用実績フラグが１であるか０であるかを判定する（ステップＳ１０６）。探索中の第２のＩＤに対応する使用実績フラグが１である場合には、後続の第２のＩＤに対応する使用実績フラグを探索すべく、ステップＳ１０４へ戻る。一方、探索中の第２のＩＤに対応する使用実績フラグが０である場合には、管理装置制御部２４０は、探索中の第２のＩＤ、つまり使用実績フラグが０である第２のＩＤのうち最小のものを、ステップＳ１０１で受信された第１のＩＤに関連付けて管理装置記憶部２１０に記憶する第２のＩＤに指定する（ステップＳ１０７）。そして、当該第２のＩＤは使用が開始されるため、管理装置制御部２４０は、当該第２のＩＤに対応する使用実績フラグを１、現使用フラグを１に変更する（ステップＳ１０８）。
【００４７】
ステップＳ１０５で全ての第２のＩＤの探索が完了していれば、管理装置制御部２４０は、テーブル内の現使用フラグを第２のＩＤを基準に順に探索する（ステップＳ１０９）。そして、管理装置制御部２４０は、全ての現使用フラグを第２のＩＤを基準に探索済みであるか否かを判定する（ステップＳ１１０）。全ての現使用フラグを探索済みである場合には、図５の処理を終了する。一方、全ての現使用フラグを探索済みではない場合には、管理装置制御部２４０は、探索中の第２のＩＤに対応する現使用フラグが１であるか０であるかを判定する（ステップＳ１１１）。探索中の第２のＩＤに対応する現使用フラグが１である場合には、後続の第２のＩＤに対応する現使用フラグを探索すべく、ステップＳ１０９に戻る。一方、探索中の現使用フラグが０である場合には、管理装置制御部２４０は、探索中の第２のＩＤ、つまり使用実績フラグが１かつ現使用フラグが０である第２のＩＤのうち最小のものを、ステップＳ１０１で受信された第１のＩＤに関連付けて管理装置記憶部２１０に記憶する第２のＩＤに指定する（ステップＳ１１２）。そして、当該第２のＩＤは使用が開始されるため、管理制御装置２４０は、現使用フラグを１に変更する（ステップＳ１１２）。
【００４８】
例えば、図３に示した例では、使用実績フラグが「０」である第２のＩＤ「２」、「３」、以降がまずは優先的に未登録の第１のＩＤに対して割り当てられる。使用実績のない第２のＩＤが存在しなくなると、現使用フラグが「０」である第２のＩＤ「１」を未登録の第１のＩＤに対して割り当てられる。
【００４９】
このような本実施形態におけるＩＤ管理システム１によれば、サブ中継ネットワーク等の限られた範囲内で無線機器３０を管理する場合に、その無線機器３０の識別ＩＤの情報量を減少させることで、通信時間を短縮化し、省電力化することが可能である。また、本実施形態では、ＩＤ管理装置２０は、テーブルに記憶されていない第１のＩＤを認識すると、当該第１のＩＤに対応する第２のＩＤとして、まずは使用実績のない第２のＩＤを優先的に指定し、続いて使用実績があるが現在使用されていない第２のＩＤを指定する。これにより、第１のＩＤに対応する第２のＩＤに指定されないＩＤを減少させ、効率良く第２のＩＤを付与して使用することが可能となる。
【００５０】
（第２の実施形態）
第２の実施形態では、ＩＤ管理装置２０が属するネットワーク（サブ中継ネットワーク）が考慮される点が、第１の実施形態と異なる。
【００５１】
図６は本発明の第２の実施形態におけるＩＤ管理システムのシステム構成の一例を示すブロック図である。図６に示すＩＤ管理システム１Ｂは、図１に示したＩＤ管理システム１と構成は基本的に同じであるが、サブ中継ネットワークＡに、ＩＤ管理装置２０Ａ及びＩＤ管理装置２０Ａにより管理される一又は複数の無線機器３０Ａが属し、サブ中継ネットワークＢに、ＩＤ管理装置２０Ｂ及びＩＤ管理装置２０Ｂにより管理される一又は複数の無線機器３０Ｂが属している。図６に示すＩＤ管理システム１Ｂにおいて、図１に示したＩＤ管理システム１の各構成と同一の構成については、同一の符号を付し、説明を省略又は簡略化する。
【００５２】
本実施形態のＩＤ管理システム１Ｂは、ＩＤ管理装置２０を複数備え、各ＩＤ管理装置２０及びそのＩＤ管理装置２０によってＩＤを管理される一又は複数の無線機器３０によって１つのネットワーク（サブ中継ネットワーク）が形成される。例えば、ＩＤ管理装置２０Ａ及びＩＤ管理装置２０ＡによってＩＤを管理される一又は複数の無線機器３０Ａによって１つのサブ中継ネットワークが形成される。また、ＩＤ管理装置２０Ｂ及びＩＤ管理装置２０ＢによってＩＤを管理される一又は複数の無線機器３０Ｂによって１つのサブ中継ネットワークが形成される。つまり、複数のＩＤ管理装置２０によって複数のサブ中継ネットワークが形成される。なお、サブ中継ネットワークの数は、図６に示した例に限られない。
【００５３】
本実施形態の管理装置記憶部２１０は、少なくとも、第１のＩＤ及び第２のＩＤとともに、ネットワークＩＤ（サブ中継ネットワークＩＤ）が記憶されるテーブルを有する。サブ中継ネットワークＩＤとは、ＩＤ管理装置２０が属するサブ中継ネットワークを識別するための識別ＩＤである。また、第１の実施形態と同様に、使用実績フラグ、現使用フラグを有していてもよい。
【００５４】
本実施形態の管理装置制御部２４０は、ＩＤ管理装置２０が属するサブ中継ネットワークのサブ中継ネットワークＩＤに基づいて、このＩＤ管理装置２０配下の一又は複数の無線機器３０に対して指定される第２のＩＤの範囲を指定する。例えば、サブ中継ネットワークＩＤが「１」のとき、そのサブ中継ネットワークに属する無線機器３０の第２のＩＤを「００１〜０５０」の範囲で、サブ中継ネットワークＩＤが「２」のとき、そのサブ中継ネットワークに属する無線機器３０の第２のＩＤを「０５１〜１００」の範囲で指定する。また、第１のＩＤを所定数（例えば「１２」）で除算した余りをサブ中継ネットワークＩＤとして算出し、同様にサブ中継ネットワークＩＤに基づいて第２のＩＤの範囲を指定してもよい。
【００５５】
仮に、サブ中継ネットワーク毎に第２のＩＤが指定されると、異なるサブ中継ネットワークに属する無線機器３０は、同一の第２のＩＤが指定されることがある。これらのネットワークが近接していると、各サブ中継ネットワークに所属する無線機器３０同士を識別できず、誤認識される可能性がある。図６に示した例では、無線機器３０Ａ１と無線機器３０Ｂ１とが誤認識される可能性がある。本実施形態のＩＤ管理システム１Ｂによれば、異なるサブ中継ネットワークにおいて無線機器３０に指定される第２のＩＤが同一のＩＤとなる可能性が少なく、最小限の情報量を有する第２のＩＤで、通信相手を誤認することなく通信を行うことが可能である。
【００５６】
（第３の実施形態）
第３の実施形態では、管理装置記憶部２１０が有するテーブルから、撤去等により不要となった無線機器３０を識別するための第１のＩＤを削除することを考慮する。本実施形態のＩＤ管理システムの構成は、図１に示したＩＤ管理システム１又は図６に示したＩＤ管理システム１Ｂの構成と同様であり、図示を省略する。
【００５７】
本実施形態の管理装置記憶部２１０は、少なくとも、第１のＩＤ、第２のＩＤ、監視装置削除要求フラグ、無線機器削除要求フラグ、を記憶するテーブルを有する。また、先の実施形態と同様に、テーブル内に、使用実績フラグ、現使用フラグ、ネットワークＩＤ等を記憶してもよい。図７は、管理装置記憶部２１０が有するテーブルの一例を示す図である。
【００５８】
ここで、監視装置削除要求フラグは、監視装置１０から、削除対象である特定の無線機器３０の第１のＩＤを管理装置記憶部２１０が有するテーブルから削除することを要求されたか否かを示すフラグである。また、無線機器削除要求フラグは、監視装置１０以外から、特定の無線機器３０の第１のＩＤを管理装置記憶部２１０が有するテーブルから削除することを要求されたか否かを示すフラグである。削除要求フラグ（監視装置削除要求フラグ、無線機器削除要求フラグ）は、第１のＩＤの削除が要求されたときは１、第１のＩＤの削除が要求されていないときは０、となる。例えば、無線機器削除要求フラグは、ＩＤ管理装置２０の図示しない入力部により特定の無線機器３０の第１のＩＤの削除を要求された場合、特定の無線機器３０自身から第１のＩＤの削除を要求された場合、ＩＤ管理装置２０が定期的に特定の無線機器３０の存在確認を行っても所定時間内に特定の無線機器３０から応答がない場合に、１となる。
【００５９】
本実施形態の管理装置受信部２２０は、例えば、監視装置１０からの特定の無線機器３０の第１のＩＤを含む削除要求信号、特定の無線機器３０からの特定の無線機器３０の第１のＩＤに対応する第２のＩＤを含む削除要求信号を受信する。
【００６０】
本実施形態の管理装置送信部２３０は、例えば、特定の無線機器３０の第１のＩＤを含み、特定の無線機器３０の変化を通知する変化通知信号を監視装置１０へ送信する。変化通知信号は、管理装置記憶部２１０に記憶された無線機器削除要求フラグが０から１に変化したときに、送信される。
【００６１】
本実施形態の管理装置制御部２４０は、例えば、管理装置受信部２２０により受信された削除要求信号に含まれる第１のＩＤを管理装置記憶部２１０が有するテーブルから削除する。これにより、削除された第１のＩＤに対応する第２のＩＤを他の無線機器３０の第１のＩＤとして割り当てることができる。
【００６２】
本実施形態の監視装置記憶部１４０は、少なくとも無線機器３０の第１のＩＤを記憶しているが、監視が不要となった無線機器３０（例えば当該記憶部に登録された後にＩＤ管理システムから撤去された無線機器）については、当該記憶部から第１のＩＤが削除される。したがって、ＩＤ管理システムに存在するとされる無線機器３０の情報のみが監視装置記憶部１４０に記憶されている。
【００６３】
本実施形態の監視装置受信部１２０は、例えば、特定の無線機器３０の第１のＩＤを含み、特定の無線機器３０の変化を通知する変化通知信号を受信する。
【００６４】
本実施形態の監視装置制御部１３０は、例えば、監視装置受信部１２０により受信された変化通知信号に含まれる特定の無線機器３０の第１のＩＤが監視装置記憶部１４０に記憶されているか否かに基づいて、第１のＩＤにより識別される特定の無線機器３０が不在であるか、特定の無線機器３０に通信障害が発生したか、のいずれかの状態を判定する。監視装置制御部１３０は、監視装置記憶部１４０に特定の無線機器３０の第１のＩＤが記憶されている場合には、特定の無線機器３０に通信障害が発生していると判定し、記憶されていない場合には、特定の無線機器３０が不在であると判定する。
【００６５】
本実施形態の監視装置送信部１１０は、例えば、監視装置制御部１３０により特定の無線機器３０が不在であると判定された場合、特定の無線機器３０の第１のＩＤを管理装置記憶部２１０が有するテーブルから削除させるための削除要求信号を、ＩＤ管理装置２０へ送信する。これにより、ＩＤ管理装置２０に対して不要な管理情報を削除させることができる。
【００６６】
次に、本実施形態のＩＤ管理装置２０の動作について説明する。
図８は、本実施形態のＩＤ管理装置２０の動作の一例を示すフローチャートである。
【００６７】
まず、管理装置受信部２２０は、特定の無線機器３０からの第１のＩＤの削除要求信号を受信する（ステップＳ２０１）。続いて、管理装置制御部２４０は、管理装置記憶部２１０に記憶された特定の無線機器３０に対応する無線機器削除要求フラグを１に設定する（ステップＳ２０２）。なお、先に説明したように、特定の無線機器３０からの削除要求信号の受信以外の事象に基づいて、無線機器削除要求フラグを１に設定することも考えられる。続いて、管理装置送信部２３０は、管理装置記憶部２１０に記憶された特定の無線機器３０の第１のＩＤを含む変化通知信号を監視装置１０へ送信する（ステップＳ２０３）。
【００６８】
変化通知信号の監視装置１０への送信後、管理装置制御部２４０は、監視装置１０からの変化通知信号に対する特定の無線機器３０の第１のＩＤの削除要求信号を、管理装置受信部２２０により受信したか否かを判定する（ステップＳ２０４）。監視装置１０からの削除要求信号が受信された場合、管理装置制御部２４０は、削除要求信号に対応する特定の無線機器３０の第１のＩＤを管理装置記憶部２１０が有するテーブルから削除する（ステップＳ２０５）。第１のＩＤが削除されると、管理装置制御部２４０は、削除された第１のＩＤに対応する現使用フラグを０に設定する（ステップＳ２０６）。
【００６９】
例えば、図７に示すように、第２のＩＤ「１」で識別される無線機器３０に関して、無線機器削除要求フラグ「１」、監視装置削除要求フラグ「０」の状態であるので、この無線機器３０について変化通知信号を送信し、監視装置１０に無線機器３０の存在の有無について問い合わせる。また、第２のＩＤ「０」で識別される無線機器３０に関して、無線機器削除要求フラグ「１」、監視装置削除要求フラグ「１」の状態であるので、第１のＩＤをテーブルから削除する。
【００７０】
このような図８の処理によれば、特定の無線機器３０の削除要求があった後に、監視装置１０からの削除許可があった場合に、管理装置記憶部２１０から第１のＩＤを削除するため、一次的な通信障害が発生したことにより誤って第１のＩＤの削除することを防止できる。
【００７１】
次に、本実施形態の監視装置１０の動作について説明する。
図９は、本実施形態の監視装置１０の動作の一例を示すフローチャートである。
【００７２】
まず、監視装置受信部１２０は、ＩＤ管理装置２０から特定の無線機器３０の第１のＩＤを含む変化通知信号を受信する（ステップＳ３０１）。変化通知信号を受信すると、監視装置制御部１３０は、監視装置記憶部１４０に特定の無線機器３０の第１のＩＤが記憶されているか否かに基づいて、特定の無線機器３０が不在であるか否かを判定する（ステップＳ３０２）。特定の無線機器３０が不在である場合には、監視装置送信部１１０は、特定の無線機器３０の第１のＩＤを管理装置記憶部２１０が有するテーブルから削除させるための削除要求信号をＩＤ管理装置２０へ送信する（ステップＳ３０３）。
【００７３】
なお、上記のステップＳ３０２では、特定の無線機器３０が不在であるか否かは、当該無線機器３０の第１のＩＤが監視装置記憶部１４０に記憶されているか否かで判定される。しかし、監視装置記憶部１４０に記憶された当該無線機器３０の第１のＩＤが削除されるタイミングと、管理装置受信部２２０が当該無線機器３０から第１のＩＤの削除要求信号を受信してＩＤ管理装置２０から変化通知信号が送信されるタイミングとは、必ずしも一致しないことがある。これは、例えば、無線機器３０を監視する監視員が無線機器３０を撤去するタイミングと、当該監視員の指示に基づいて、当該撤去を反映すべく監視装置１０の図示しない入力部により監視装置記憶部１４０に記憶された撤去対象の無線機器３０の第１のＩＤが削除されるタイミングとが、一致しないことがあるためである。この場合には、本来、監視装置１０が削除要求信号を送信すべきであるが送信できないことがある。
【００７４】
そこで、監視装置１０は図９に示す動作の代わりに、監視装置記憶部１４０に記憶された当該無線機器３０の第１のＩＤが削除された時点でＩＤ管理装置２０に削除要求信号を送信するというように、監視装置１０の動作を工夫してもよい。
【００７５】
あるいは、変化通知信号を送信したＩＤ管理装置２０がその後所定期間内に削除要求信号を受信できないために、無線機器削除要求フラグ「１」、監視装置削除要求フラグ「０」の状態になっている場合、一定期間ごとに変化通知信号を監視装置１０に再送するというように、ＩＤ管理装置２０の動作を工夫してもよい。
【００７６】
このような図９の処理によれば、特定の無線機器３０の状態を監視装置１０内に記憶された情報から確認し、特定の無線機器３０がＩＤ管理システム内に不在であるか、単に一時的に通信障害が発生しているかを、ＩＤ管理装置２０へ通知することができる。
【００７７】
このような本実施形態のＩＤ管理システムによれば、ＩＤ管理装置２０において不要となった削除対象の第１のＩＤをテーブルから削除することで、有限である第２のＩＤを効率良く使用することができる。
【００７８】
なお、上記のステップＳ２０２からステップＳ２０３では、管理装置制御部２４０が特定の無線機器に対応する無線機器削除要求フラグを１に設定した後、管理装置送信部２３０が管理装置記憶部２１０に記憶された特定の無線機器３０の第１のＩＤを含む変化通知信号を監視装置１０へ送信すると説明した。しかし、上述した通り、無線機器削除フラグは、（１）ＩＤ管理装置２０の図示しない入力部により特定の無線機器３０の第１のＩＤの削除を要求された場合、（２）特定の無線機器３０自身から第１のＩＤの削除を要求された場合、（３）ＩＤ管理装置２０が定期的に特定の無線機器３０の存在確認を行っても所定時間内に特定の無線機器３０から応答がない場合に「１」となる。したがって、上記（３）は原因が分からないため本当に第１のＩＤを削除しても良いのか否か判定し難いが、上記（１）や（２）の場合は、監視装置１０から送信される削除要求信号を待つことなく第１のＩＤを削除しても悪影響を及ぼす可能性は低いと考えられる。
【００７９】
そこで、ＩＤ管理装置２０は、上記（３）のように定期的に特定の無線機器３０の存在確認を行っても所定時間内に特定の無線機器３０から応答がない場合に限って、図８に示す動作を行なってもよい。そして、上記（１）で入力部からの要求が確認された場合や上記（２）で無線機器３０自身から第１のＩＤの削除要求を確認した場合は、ステップＳ２０２の後、ステップＳ２０３〜Ｓ２０４を行なわずにステップＳ２０５、ステップＳ２０６を行ってもよい。
【００８０】
（第４の実施形態）
第４の実施形態では、公衆ネットワークとメイン中継ネットワークとにおいて、ＩＤ管理装置２０が異なる識別ＩＤを使用可能となるように、中継装置４０がＩＤ管理装置２０を管理することを考慮する。
【００８１】
図１０は、本発明の第４の実施形態におけるＩＤ管理システムのシステム構成の一例を示すブロック図である。図１０に示すＩＤ管理システム１Ｃは、監視装置１０、ＩＤ管理装置２０、無線機器３０（図１０では不図示）、中継装置４０を有して構成される。ＩＤ管理装置２０は、第１〜第３の実施形態と同様に、無線機器３０の識別ＩＤ（第１のＩＤ及び第２のＩＤ）を管理する。中継装置４０は、ＩＤ管理装置２０の識別ＩＤ（第１のＩＤ及び第２のＩＤ）を管理する。なお、監視装置１０、中継装置４０は複数であってもよい。また、ＩＤ管理装置２０の個数は図１０に示した例に限られない。本実施形態のＩＤ管理システム１Ｃにおいて、第１〜第３の実施形態で示したＩＤ管理システムと同一の構成については、同一の符号を付し、説明を省略又は簡略化する。
【００８２】
ＩＤ管理装置２０の第１のＩＤは、公衆ネットワークにおいて、ＩＤ管理装置２０を識別するために使用される識別ＩＤである。また、第２のＩＤとは、メイン中継ネットワークにおいて、ＩＤ管理装置２０を識別するために使用される識別ＩＤである。また、無線機器３０の識別ＩＤと同様に、ＩＤ管理装置２０の第２のＩＤはＩＤ管理装置２０の第１のＩＤよりも情報量が少なく、当該第１のＩＤは例えば１２桁で表され、当該第２のＩＤは例えば１桁で表される。
【００８３】
監視装置１０は、ＩＤ管理装置２０、無線機器３０、中継装置４０を監視する。ＩＤ管理装置２０は、例えば所定エリア内に所在する１つの宅内に１つ配置される。不図示の無線機器３０は、ＩＤ管理装置２０及び中継装置４０を介して監視装置１０と通信を行う。中継装置４０は、例えば１つのマンションや１つの地区等の所定エリア内に１つ配置される。
【００８４】
中継装置４０は、ＩＤ管理装置２０と同様に識別ＩＤ（第１のＩＤ及び第２のＩＤ）を管理するＩＤ管理装置としての機能を有しており、ＩＤ管理装置２０と同様の構成を有し同様の処理を行う。ただし、無線機器３０の第１のＩＤ及び第２のＩＤを中継装置４０の記憶部が有するテーブルに管理するのではなく、ＩＤ管理装置２０の第１のＩＤ及び第２のＩＤを管理する。
【００８５】
また、中継装置４０は、有線、無線による通信機能を有し、少なくとも監視装置１０等の公衆ネットワーク上の通信装置と中継装置４０配下の一又は複数のＩＤ管理装置２０との通信を中継する。中継装置４０は、監視装置１０からの情報要求信号、ＩＤ管理装置２０を介した無線機器３０からのセンサ情報等を中継する。
【００８６】
このような本実施形態におけるＩＤ管理システム１Ｃによれば、第１の実施形態と同様に、メイン中継ネットワーク等の限られた範囲内で中継装置４０配下のＩＤ管理装置２０を管理する場合に、ＩＤ管理装置２０の識別ＩＤの情報量を減少させることで、通信時間を短縮化し、省電力化することが可能である。これにより、公衆ネットワークにおける通信よりも、メイン中継ネットワークにおける通信では通信トラフィックを低減させることが可能である。また、第２の実施形態と同様に、メイン中継ネットワークのネットワークＩＤに基づいて、ＩＤ管理装置２０の第２のＩＤの範囲を指定してもよい。さらに、第３の実施形態と同様に、不要となった削除対象のＩＤ管理装置２０の第１のＩＤを中継装置４０の記憶部が有するテーブルから削除してもよい。
【産業上の利用可能性】
【００８７】
本発明は、限られた範囲内で無線機を用いる場合に、その無線機の識別ＩＤの情報量を減少させることで、通信時間を短縮化し、省電力化することが可能なＩＤ管理システム等に有用である。
【符号の説明】
【００８８】
１、１Ｂ  ＩＤ管理システム
１０  監視装置
２０  ＩＤ管理装置
３０、３０Ａ、３０Ｂ  無線機器
４０  中継装置
１１０  監視装置送信部
１２０  監視装置受信部
１３０  監視装置制御部
１４０  監視装置記憶部
２１０  管理装置記憶部
２２０  管理装置受信部
２３０  管理装置送信部
２４０  管理装置制御部
【図１】
2011109338.tif 000003
【図２】
2011109338.tif 000004
【図３】
2011109338.tif 000005
【図４】
2011109338.tif 000006
【図５】
2011109338.tif 000007
【図６】
2011109338.tif 000008
【図７】
2011109338.tif 000009
【図８】
2011109338.tif 000010
【図９】
2011109338.tif 000011
【図１０】
2011109338.tif 000012